(57)【特許請求の範囲】
【請求項１】
携帯電話機およびデータ端末を接続可能に構成された通信アダプタにおいて、
前記携帯電話機を自動発信させる自動発信手段と、
前記携帯電話機をネットワークに接続させ、前記データ端末により指定された所定の電子メールアドレスを宛先とする電子メールを検索するネットワーク接続手段と、
通知情報を出力する通知手段とを備え、
所定条件が成立したことを条件として前記自動発信手段が動作し、自動発信が成功したことを条件として前記ネットワーク接続手段が動作し、前記所定の電子メールアドレスを宛先とする電子メールが前記ネットワークに存在することを前記ネットワーク接続手段が検出したことを条件として前記通知手段が動作することを特徴とする通信アダプタ。
【請求項２】
操作手段を備え、
前記操作手段が所定操作されたことを前記所定条件とすることを特徴とする請求項１記載の通信アダプタ。
【請求項３】
計時手段を備え、
前記計時手段が設定時刻・設定時間を計時したことを前記所定条件とすることを特徴とする請求項１記載の通信アダプタ。
【請求項４】
前記携帯電話機が着信したことを検出する着信検出手段を備え、
前記所定の電子メールアドレスを宛先とする電子メールが前記ネットワークに存在することを示す着信を前記着信検出手段が検出したことを前記所定条件とすることを特徴とする請求項１記載の通信アダプタ。
【請求項５】
記憶手段を備え、
前記所定の電子メールアドレスを宛先とする電子メールが前記ネットワークに存在することを前記ネットワーク接続手段が検出したことを条件として前記記憶手段が当該電子メールの内容を記憶することを特徴とする請求項１ないし４のいずれかに記載の通信アダプタ。
【請求項６】
前記電子メールアドレスは、前記データ端末により任意に指定可能であることを特徴とする請求項１ないし５のいずれかに記載の通信アダプタ。
【発明の詳細な説明】
【０００１】
【発明の属する技術分野】
本発明は、携帯電話機およびデータ端末を接続可能に構成された通信アダプタに関する。
【０００２】
【発明が解決しようとする課題】
従来より、携帯電話機およびデータ端末を接続可能に構成された通信アダプタが供されており、ユーザは、携帯電話機およびデータ端末を通信アダプタに接続し、データ端末を操作することにより、データ端末で記述した電子メールをネットワーク（電子メールサーバ）に送信したり、あるいは当該データ端末の電子メールアドレスを宛先とする電子メールをネットワークから受信したりすることが可能になっている。
【０００３】
ところで、この場合、データ端末が携帯性に優れているノート型パソコンであれば、ユーザは、携帯電話機がサービスエリア内（圏内）にあることを条件として、上記したような電子メールを送信・受信することを屋外で行うことが可能になる。ところが、その一方、携帯電話機がサービスエリア外（圏外）にあれば、電子メールを送信・受信することを屋外で行うことが不可能になるので、その場合には、ノート型パソコンが屋外ではバッテリから供給される電力で駆動するという事情から、ユーザは、ノート型パソコンで電力が不要に消費されることを回避するために、ノート型パソコンの電源を切断しておくのが一般的である。
【０００４】
このような事情から、従来のものでは、ユーザは、単に、自己宛の電子メールがネットワークに存在するか否かを確認するだけの場合であっても、その都度、ノート型パソコンの電源を投入して最初から所定の操作を行う必要があったので、その作業がたいへん煩雑であるという問題があった。また、このように、ノート型パソコンの電源を投入して最初から所定の操作を行う分、ある程度の時間がかかるという問題もあった。
【０００５】
本発明は、上記した事情に鑑みてなされたものであり、その目的は、データ端末を起動することなく、前記データ端末により指定された所定の電子メールアドレスを宛先とする電子メールがネットワークに存在するか否かを簡単に確認することができ、それにより、使い勝手の向上を図ることができる通信アダプタを提供することにある。
【０００６】
【課題を解決するための手段】
請求項１記載の通信アダプタによれば、所定条件が成立すると、自動発信手段が動作し、携帯電話機を自動発信させる。次いで、自動発信が成功すると、ネットワーク接続手段が動作し、携帯電話機をネットワークに接続させ、データ端末により指定された所定の電子メールアドレスを宛先とする電子メールを検索する。そして、それに該当する電子メールがネットワークに存在することをネットワーク接続手段が検出すると、通知手段が動作し、通知情報を出力する。
【０００７】
すなわち、このものによれば、所定条件が成立すると、携帯電話機が自動発信し、自動発信が成功すると、データ端末により指定された所定の電子メールアドレスを宛先とする電子メールを検索し、それに該当する電子メールがネットワークに存在すると、通知手段が動作するようになるので、あらかじめデータ端末により所定の電子メールアドレスを指定しておくことにより、従来のものとは異なって、データ端末を起動することなく、その指定された所定の電子メールアドレスを宛先とする電子メールがネットワークに存在するか否かを簡単に確認することができ、これにより、使い勝手の向上を図ることができる。
【０００８】
請求項２記載の通信アダプタによれば、上記所定条件として、操作手段が所定操作されると、自動発信手段が動作し、携帯電話機を自動発信させる。
すなわち、このものによれば、操作手段を所定操作することにより、携帯電話機が自動発信するようになるので、所定の電子メールアドレスを宛先とする電子メールがネットワークに存在するか否かを任意のタイミングで簡単に確認することができる。
【０００９】
請求項３記載の通信アダプタによれば、上記所定条件として、計時手段が設定時刻・設定時間を計時すると、自動発信手段が動作し、携帯電話機を自動発信させる。
すなわち、このものによれば、あらかじめ設定時刻・設定時間を設定しておくことにより、その設定時刻・設定時間を計時すると、携帯電話機が自動発信するようになるので、所定の電子メールアドレスを宛先とする電子メールがネットワークに存在するか否かを定期的に簡単に確認することができる。
【００１０】
請求項４記載の通信アダプタによれば、上記所定条件として、所定の電子メールアドレスを宛先とする電子メールがネットワークに存在することを示す着信を着信検出手段が検出すると、自動発信手段が動作し、携帯電話機を自動発信させる。
すなわち、このものによれば、所定の電子メールアドレスを宛先とする電子メールがネットワークに存在することを示す着信があることにより、携帯電話機が自動発信するようになるので、それに該当する電子メールがネットワークに確実に存在することを簡単に確認することができる。特に、この場合には、それに該当する電子メールがネットワークに確実に存在することになるので、該当する電子メールがネットワークに存在しないのにも拘らず携帯電話機を自動発信させることを回避することができるという利点がある。
【００１１】
請求項５記載の通信アダプタによれば、所定の電子メールアドレスを宛先とする電子メールがネットワークに存在することをネットワーク接続手段が検出すると、記憶手段が当該電子メールの内容を記憶する。
すなわち、このものによれば、所定の電子メールアドレスを宛先とする電子メールがネットワークに存在すると、記憶手段が当該電子メールの内容を記憶するようになるので、電子メールの内容を確認するに際しては、再度、携帯電話機を発信させることが不要になり、その分、操作性や経済性の向上を図ることができる。
【００１２】
請求項６記載の通信アダプタによれば、電子メールアドレスをデータ端末により任意に指定することができるので、多数の電子メールアドレスについて検索する場合であっても、それらを個々に指定することにより、多数の電子メールアドレスの個々に対して該当する電子メールがネットワークに存在するか否かを簡単に確認することができる。
【００２０】
【発明の実施の形態】
（第１の実施の形態）
以下、本発明の第１実施例について図１および図２を参照して説明する。
まず、図１は、通信アダプタの電気的な構成を機能ブロック図として示している。通信アダプタ１は、例えばノート型パソコンなどのデータ端末２および携帯電話機３を接続可能なもので、ＡＴコマンド処理部４、データ処理部５、携帯電話機制御部６（本発明でいう着信検出手段）、自動発信部７（本発明でいう自動発信手段）、ネットワーク接続部８（本発明でいうネットワーク接続手段）およびメモリ部９（本発明でいう記憶手段）を備えて構成されている。
【００２１】
ＡＴコマンド処理部４は、データ端末２から各種のコマンドが与えられると、それらデータ端末２から与えられた各種のコマンドを処理するようになっており、それら各種のコマンドのうちの一つとして、データ端末２から接続要求コマンドが与えられると、携帯電話機制御部６に接続要求コマンドを出力するようになっている。また、ＡＴコマンド処理部４は、詳しくは後述するように、自動発信部７からも接続要求コマンドが与えられるようになっており、自動発信部７から接続要求コマンドが与えられると、携帯電話機制御部６に接続要求コマンドを出力するようになっている。
【００２２】
携帯電話機制御部６は、ＡＴコマンド処理部４から接続要求コマンドが与えられると、携帯電話機３に自動発信コマンドを出力し、携帯電話機３を自動発信させるようになっている。そして、携帯電話機制御部６は、携帯電話機３が自動発信を成功し、携帯電話機３から自動発信の成功を示す応答が与えられると、その与えられた自動発信の成功を示す応答をＡＴコマンド処理部４に出力するようになっている。
【００２３】
データ処理部５は、携帯電話機３が自動発信してネットワークに接続し、データ端末２とネットワークとの間で通信回線を接続していることを条件として、データ端末２とネットワークとの間で転送するデータを所定のプロトコルに準じて処理するようになっている。
【００２４】
自動発信部７は、スイッチ１０（本発明でいう操作手段）から操作検出信号が与えられたり、タイマ１１（本発明でいう計時手段）から設定時刻・設定時間検出信号が与えられたり、あるいは携帯電話機制御部６から特定の着信検出信号が与えられると、上記したようにＡＴコマンド処理部４に接続要求コマンドを出力するようになっている。
【００２５】
ネットワーク接続部８は、データ処理部５を制御することにより、データ端末２により指定された所定の電子メールアドレスを宛先とする電子メールがネットワーク（電子メールサーバ）に存在するか否かを検索する電子メール検索処理を実行するようになっている。そして、ネットワーク接続部８は、検索結果として上記データ端末２により指定された所定の電子メールアドレスを宛先とする電子メールがネットワークに存在することを認識すると、ＬＥＤ１２（本発明でいう通知手段）に駆動指令を出力するようになっており、ＬＥＤ１２は、ネットワーク接続部８から駆動指令が与えられると、点灯するようになっている。
【００２６】
次に、上記した構成の作用について、図２も参照して説明する。
まず、自動発信部７は、所定条件が成立したか否かを判定する（ステップＳ１）。ここで、所定条件とは、ユーザがスイッチ１０を操作することにより、スイッチ１０から自動発信部７に操作検出信号が出力されることであり、また、タイマ１１があらかじめ設定された設定時刻・設定時間を計時することにより、タイマ１１から自動発信部７に設定時刻・設定時間検出信号が出力されることであり、さらには、携帯電話機制御部６がデータ端末２により指定された所定の電子メールアドレスを宛先とする電子メールがネットワークに存在することを示す着信を検出することにより、携帯電話機制御部６から自動発信部７に特定の着信検出信号が出力されることである。
【００２７】
自動発信部７は、これらの所定条件のうちのいずれかが成立したことを判定すると、ステップＳ１において「ＹＥＳ」と判定し、ＡＴコマンド処理部４に接続要求コマンドを出力する。そして、ＡＴコマンド処理部４は、自動発信部７から接続要求コマンドが与えられると、携帯電話機制御部６に接続要求コマンドを出力し、携帯電話機制御部６は、ＡＴコマンド処理部４から接続要求コマンドが与えられると、携帯電話機３に自動発信コマンドを出力する。これにより、携帯電話機３が自動発信する（ステップＳ２）。
【００２８】
次いで、携帯電話機制御部６は、携帯電話機３から自動発信の成功を示す応答が与えられたことにより、携帯電話機３が自動発信を成功してネットワークに接続したことを検出すると、ステップＳ３において「ＹＥＳ」と判定し、ＡＴコマンド処理部４に自動発信の成功を示す応答を出力すると共に、データ処理部５を通じてネットワーク接続部８に自動発信の成功を示すデータを出力する。
【００２９】
次いで、ネットワーク接続部８は、携帯電話機制御部６からデータ処理部５を通じて自動発信の成功を示すデータが与えられると、データ端末２により指定された所定の電子メールアドレスを宛先とする電子メールがネットワークに存在するか否かを検索する電子メール検索処理を実行する（ステップＳ４）。
【００３０】
そして、ネットワーク接続部８は、それに該当する電子メールがネットワークに存在することを検出すると、ステップＳ５において「ＹＥＳ」と判定し、ＬＥＤ１２に駆動指令を出力し、ＬＥＤ１２は、ネットワーク接続部８から駆動指令が与えられると、点灯する（ステップＳ６）。
【００３１】
尚、携帯電話機制御部６は、携帯電話機３から自動発信の成功を示す応答が与えられず、携帯電話機３が自動発信を失敗してネットワークに接続しなかったことを検出すると、ステップＳ３において「ＮＯ」と判定し、リトライ回数が規定値未満であるか否かを判定し（ステップＳ７）、リトライ回数が規定値未満であれば、リトライするためのタイマをセットする（ステップＳ８）。そして、携帯電話機制御部６がタイマのタイムアップを検出すると、自動発信部７は、再度、ＡＴコマンド処理部４に接続要求コマンドを出力し、これにより、携帯電話機３は、再度、自動発信する。
【００３２】
すなわち、このものによれば、ユーザがスイッチ１０を所定操作したり、タイマ１１があらかじめ設定された設定時刻・設定時間を計時したり、あるいは携帯電話機制御部６がデータ端末２により指定された所定の電子メールアドレスを宛先とする電子メールがネットワークに存在することを示す着信を検出すると、携帯電話機３が自動発信するようになり、携帯電話機３が自動発信を成功すると、ネットワーク接続部８がデータ端末２により指定された所定の電子メールアドレスを宛先とする電子メールを検索するようになり、それに該当する電子メールがネットワークに存在することを検出すると、ＬＥＤ１２が点灯するようになる。
【００３３】
尚、上記した構成において、ネットワーク接続部８は、データ端末２により指定された所定の電子メールアドレスを宛先とする電子メールがネットワークに存在することを検出したときには、ＬＥＤ１２に駆動指令を出力すると同時に、データ処理部５を制御することにより、その電子メールの内容をメモリ部９に記憶することもできる。また、データ端末２は、任意の電子メールアドレスを指定することができ、つまり、自己の電子メールアドレスのみでなく、他のデータ端末の電子メールアドレスをも指定し、その電子メールアドレスを宛先とする電子メールを検索することもできる。
【００３４】
このように第１実施例によれば、通信アダプタ１において、所定条件が成立すると、携帯電話機３が自動発信し、自動発信が成功すると、データ端末２により指定された所定の電子メールアドレスを宛先とする電子メールを検索し、それに該当する電子メールがネットワークに存在することを検出すると、ＬＥＤ１２が点灯するように構成したので、あらかじめデータ端末２により所定の電子メールアドレスを指定しておくことにより、従来のものとは異なって、データ端末２を起動することなく、その指定された所定の電子メールアドレスを宛先とする電子メールがネットワークに存在するか否かを簡単に確認することができ、これにより、使い勝手の向上を図ることができる。
【００３５】
そして、この場合、スイッチ１０を操作することにより、携帯電話機３が自動発信するように構成したので、所定の電子メールアドレスを宛先とする電子メールがネットワークに存在するか否かを任意のタイミングで簡単に確認することができる。
【００３６】
また、タイマ１１にあらかじめ設定時刻・設定時間を設定しておくことにより、設定時刻・設定時間を計時すると、携帯電話機３が自動発信するように構成したので、所定の電子メールアドレスを宛先とする電子メールがネットワークに存在するか否かを定期的に簡単に確認することができる。
【００３７】
また、所定の電子メールアドレスを宛先とする電子メールがネットワークに存在することを示す着信があることにより、携帯電話機３が自動発信するように構成したので、それに該当する電子メールがネットワークに確実に存在することを簡単に確認することができる。特に、この場合には、それに該当する電子メールがネットワークに確実に存在することになるので、該当する電子メールがネットワークに存在しないのにも拘らず携帯電話機３を自動発信させることを回避することができるという利点がある。
【００３８】
また、それに該当する電子メールがネットワークに存在すると、その電子メールの内容をメモリ部９に記憶するように構成したので、電子メールの内容を確認するに際して、再度、携帯電話機３を発信させることが不要になり、操作性や経済性の向上を図ることができる。
【００３９】
また、電子メールアドレスをデータ端末２により任意に指定することができるように構成したので、多数の電子メールアドレスについて検索する場合であっても、それらを個々に指定することにより、多数の電子メールアドレスの個々に対して該当する電子メールがネットワークに存在するか否かを簡単に確認することができる。
【００４０】
（第２の実施の形態）
次に、本発明の第２実施例について、図３を参照して説明する。尚、上記した第１実施例と同一部分には同一符号を付して説明を省略し、以下、異なる部分について説明する。
この第２実施例において、携帯電話機２１は、上記した第１実施例で説明した通信アダプタ１が有する機能を有しているものである。すなわち、携帯電話機２１は、上記データ端末２を接続可能なもので、ＡＴコマンド処理部２２、データ処理部２３、無線通信部２４、自動発信部２５、ネットワーク接続部２６およびメモリ部２７を備えて構成されている。
【００４１】
ＡＴコマンド処理部２２は、データ端末２から各種のコマンドが与えられると、それらデータ端末２から与えられた各種のコマンドを処理するようになっており、それら各種のコマンドのうちの一つとして、データ端末２から接続要求コマンドが与えられると、無線通信部２４に自動発信コマンドを出力するようになっている。また、ＡＴコマンド処理部２２は、詳しくは後述するように、自動発信部２５からも接続要求コマンドが与えられるようになっており、自動発信部２５から接続要求コマンドが与えられると、無線通信部２４に自動発信コマンドを出力するようになっている。
【００４２】
無線通信部２４は、ＡＴコマンド処理部２２から自動発信コマンドが与えられると、自動発信するようになっている。そして、無線通信部２４は、自動発信を成功すると、その自動発信の成功を示す応答をＡＴコマンド処理部２２に出力するようになっている。
【００４３】
データ処理部２３は、無線通信部２４が自動発信してネットワークに接続し、データ端末２とネットワークとの間で通信回線を接続していることを条件として、データ端末２とネットワークとの間で転送するデータを所定のプロトコルに準じて処理するようになっている。
【００４４】
自動発信部２５は、通信開始キー、通信終了キー、リダイヤルキー、Ｆ（ファンクション）キーなどの各種のキーが配設されてなるキーパッド２８から特定のキー操作検出信号が与えられたり、タイマ２９から設定時刻・設定時間検出信号が与えられたり、あるいは無線通信部２４から特定の着信検出信号が与えられると、上記したようにＡＴコマンド処理部２２に接続要求コマンドを出力するようになっている。
【００４５】
ネットワーク接続部２６は、上記した第１実施例で説明したネットワーク接続部８と同様の構成であり、データ処理部２３を制御することにより、データ端末２により指定された所定の電子メールアドレスを宛先とする電子メールがネットワークに存在するか否かを検索する電子メール検索処理を実行するようになっている。そして、ネットワーク接続部２６は、検索結果として上記データ端末２により指定された所定の電子メールアドレスを宛先とする電子メールがネットワークに存在することを認識すると、ＬＥＤ３０に駆動指令を出力するようになっており、ＬＥＤ３０は、ネットワーク接続部２６から駆動指令が与えられると、点灯するようになっている。
【００４６】
次に、上記した構成の作用について説明する。
まず、自動発信部２５は、所定条件が成立したか否かを判定する。ここで、所定条件とは、ユーザがキーパッド２８をキー操作することにより、キーパッド２８から自動発信部２５に特定のキー操作検出信号が出力されることであり、また、タイマ２９があらかじめ設定された設定時刻・設定時間を計時することにより、タイマ２９から自動発信部２５に設定時刻・設定時間検出信号が出力されることであり、さらには、無線通信部２４がデータ端末２により指定された所定の電子メールアドレスを宛先とする電子メールがネットワークに存在することを示す着信を検出することにより、無線通信部２４から自動発信部２５に特定の着信検出信号が出力されることである。
【００４７】
自動発信部２５は、これらの所定条件のうちのいずれかが成立したことを判定すると、ＡＴコマンド処理部２２に接続要求コマンドを出力する。そして、ＡＴコマンド処理部２２は、自動発信部２５から接続要求コマンドが与えられると、無線通信部２４に自動発信コマンドを出力する。これにより、無線通信部２４が自動発信し、つまり、携帯電話機２１が自動発信する
次いで、無線通信部２４は、携帯電話機２１が自動発信を成功し、携帯電話機２１がネットワークに接続したことを検出すると、ＡＴコマンド処理部２２に自動発信の成功を示す応答を出力すると共に、データ処理部２３を通じてネットワーク接続部２６に自動発信の成功を示すデータを出力する。
【００４８】
次いで、ネットワーク接続部２６は、無線通信部２４からデータ処理部２３を通じて自動発信の成功を示すデータが与えられると、データ端末２により指定された所定の電子メールアドレスを宛先とする電子メールがネットワークに存在するか否かを検索する電子メール検索処理を実行する。
【００４９】
そして、ネットワーク接続部２６は、それに該当する電子メールがネットワークに存在することを検出すると、ＬＥＤ３０に駆動指令を出力し、ＬＥＤ３０は、ネットワーク接続部２６から駆動指令が与えられると、点灯する。
【００５０】
すなわち、このものによれば、ユーザがキーパッド２８を所定キー操作したり、タイマ２９があらかじめ設定された設定時刻・設定時間を計時したり、あるいは無線通信部２４がデータ端末２により指定された所定の電子メールアドレスを宛先とする電子メールがネットワークに存在することを示す着信を検出すると、携帯電話機２１が自動発信するようになり、携帯電話機２１が自動発信を成功すると、ネットワーク接続部２６がデータ端末２により指定された所定の電子メールアドレスを宛先とする電子メールを検索するようになり、それに該当する電子メールがネットワークに存在することを検出すると、ＬＥＤ３０が点灯するようになる。
【００５１】
尚、上記した構成においても、ネットワーク接続部２６は、データ端末２により指定された所定の電子メールアドレスを宛先とする電子メールがネットワークに存在することを検出したときには、ＬＥＤ３０に駆動指令を出力すると同時に、データ処理部２３を制御することにより、その電子メールの内容をメモリ部２７に記憶することもできる。また、データ端末２は、任意の電子メールアドレスを指定することができ、つまり、自己の電子メールアドレスのみでなく、他のデータ端末の電子メールアドレスをも指定し、その電子メールアドレスを宛先とする電子メールを検索することもできる。さらに、携帯電話機２１は、通信アダプタを介してデータ端末２に接続することもできる。
【００５２】
このように第２実施例によれば、携帯電話機２１において、所定条件が成立すると、携帯電話機２１が自動発信し、自動発信が成功すると、データ端末２により指定された所定の電子メールアドレスを宛先とする電子メールを検索し、それに該当する電子メールがネットワークに存在することを検出すると、ＬＥＤ３０が点灯するように構成したので、上記した第１実施例と同様にして、あらかじめデータ端末２により所定の電子メールアドレスを指定しておくことにより、従来のものとは異なって、データ端末２を起動することなく、その指定された所定の電子メールアドレスを宛先とする電子メールがネットワークに存在するか否かを簡単に確認することができ、使い勝手の向上を図ることができる。
【００５３】
そして、この場合、キーパッド２８をキー操作することにより、携帯電話機２１が自動発信するように構成したので、所定の電子メールアドレスを宛先とする電子メールがネットワークに存在するか否かを任意のタイミングで簡単に確認することができる。
【００５４】
また、タイマ２９にあらかじめ設定時刻・設定時間を設定しておくことにより、設定時刻・設定時間を計時すると、携帯電話機２１が自動発信するように構成したので、所定の電子メールアドレスを宛先とする電子メールがネットワークに存在するか否かを定期的に簡単に確認することができる。
【００５５】
また、所定の電子メールアドレスを宛先とする電子メールがネットワークに存在することを示す着信があることにより、携帯電話機２１が自動発信するように構成したので、それに該当する電子メールがネットワークに確実に存在することを簡単に確認することができる。特に、この場合には、それに該当する電子メールがネットワークに確実に存在することになるので、該当する電子メールがネットワークに存在しないのにも拘らず携帯電話機２１を自動発信させることを回避することができるという利点がある。
【００５６】
また、それに該当する電子メールがネットワークに存在すると、その電子メールの内容をメモリ部２７に記憶するように構成したので、電子メールの内容を確認するに際して、再度、携帯電話機２１を発信させることが不要になり、操作性や経済性の向上を図ることができる。
【００５７】
また、電子メールアドレスをデータ端末２により任意に指定することができるように構成したので、多数の電子メールアドレスについて検索する場合であっても、それらを個々に指定することにより、多数の電子メールアドレスの個々に対して該当する電子メールがネットワークに存在するか否かを簡単に確認することができる。
【００５８】
（その他の実施の形態）
本発明は、上記した実施例にのみ限定されるものでなく、次のように変形または拡張することができる。
携帯電話機は、簡易型携帯電話機（ＰＨＳ：Personal Handyphone System）であっても良い。
通知手段としては、ＬＥＤを点灯することにより通知する構成に限らず、例えばディスプレイを設けて特定のメッセージを表示したり、特定の音を鳴らしたり、あるいは特定のメッセージを音声出力することにより通知する構成であっても良い。
【図面の簡単な説明】
【図１】本発明の第１実施例を示す機能ブロック図
【図２】フローチャート
【図３】本発明の第２実施例を示す図１相当図
【符号の説明】
図面中、１は通信アダプタ、２はデータ端末、３は携帯電話機、６は携帯電話機制御部（着信検出手段）、７は自動発信部（自動発信手段）、８はネットワーク接続部（ネットワーク接続手段）、９はメモリ部（記憶手段）、１０はスイッチ（操作手段）、１１はタイマ（計時手段）、１２はＬＥＤ（通知手段）である。
【図１】
0003697941.tif 000002
【図２】
0003697941.tif 000003
【図３】
0003697941.tif 000004